【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
選択する信号系列を示す選択信号を、各々が異なるように複数生成する選択信号生成過程と、
１つの受信ディジタル信号から、前記選択信号生成過程で生成された複数の選択信号の各々で示される信号系列に対応する受信ディジタル素信号を、前記複数の選択信号の各々において選択する第１選択過程と、
前記第１選択過程で、前記複数の選択信号の各々において選択された受信ディジタル素信号を復調することで、前記複数の選択信号の各々に対応する複数の第１信号を生成する第１信号生成過程と、
信号の同期位置を検出するために予め定められた既知信号を生成する既知信号生成過程と、
前記既知信号から、前記複数の選択信号の各々で示される信号系列に対応する既知素信号を、前記複数の選択信号の各々において選択する第２選択過程と、
前記第２選択過程で、前記複数の選択信号の各々において選択された既知素信号を復調することで、前記複数の選択信号の各々に対応する複数の第２信号を生成する第２信号生成過程と、
前記複数の選択信号の各々に対応して生成された第１信号と第２信号とをそれぞれ比較し、当該比較結果の全てを用いて同期位置を検出する同期処理過程と、を備え、
前記既知信号生成過程は、前記第２信号生成過程で復調することができる変調方式で、予め準備された信号を変調することにより、前記既知信号を生成すること
を特徴とする信号同期方法。
【請求項２】
前記同期処理過程は、
前記第１信号と前記第２信号とが一致するか否かを判断する同期監視過程と、
前記１つの受信ディジタル信号から選択された受信ディジタル素信号を復調することで生成された複数の第１信号の内、前記第２信号と一致すると前記同期監視過程で判断された数が、予め定められた周期内において最大となっている１つの受信ディジタル信号に基づいて前記同期位置を検出する同期検出過程と、を備えること
を特徴とする請求項１に記載の信号同期方法。
【請求項３】
前記同期監視過程は、
前記第１信号と前記第２信号との不一致度を算出する比較過程と、
前記不一致度が予め定められた閾値以下である場合に、前記第１信号と前記第２信号とが一致すると判断する判定過程と、を備えること
を特徴とする請求項２に記載の信号同期方法。
【請求項４】
１つの受信信号をビット判定することにより、前記１つの受信ディジタル信号を生成するとともに、前記受信信号の受信品質を示す品質信号を生成する信号判定過程をさらに備え、
前記判定過程は、前記品質信号で示される受信品質が低いほど、前記判定過程が使用する予め定められた閾値の値を大きくすること
を特徴とする請求項３に記載の信号同期方法。
【請求項５】
前記品質信号は、前記受信信号の受信品質として、前記１つの受信信号の信号系列毎の受信素信号と、当該受信素信号から生成された受信ディジタル素信号との間の差分の一部又は全部を平均化した値を示すこと
を特徴とする請求項４に記載の信号同期方法。
【請求項６】
前記品質信号は、前記受信信号の受信品質として、前記１つの受信信号の信号系列毎の振幅又は電力成分の一部又は全部を平均化した値を示すこと
を特徴とする請求項４に記載の信号同期方法。
【請求項７】
前記信号判定過程は、前記１つの受信信号の信号系列毎の受信品質を示す個別品質信号をさらに生成し、
前記選択信号生成過程は、前記個別品質信号で示される受信品質が高い信号系列だけが選択されるように、前記選択信号を生成すること
を特徴とする請求項４から６の何れか一項に記載の信号同期方法。
【請求項８】
前記信号判定過程は、前記１つの受信信号の信号系列毎の受信品質を示す個別品質信号をさらに生成し、
前記選択信号生成過程は、前記個別品質信号で示される受信品質が高い信号系列が優先的に選択されるように、前記選択信号を生成すること
を特徴とする請求項４から６の何れか一項に記載の信号同期方法。
【請求項９】
前記個別品質信号は、前記１つの受信信号の信号系列毎の受信品質として、前記１つの受信信号の信号系列毎の受信素信号と、当該受信素信号から生成された受信ディジタル素信号との間の差分を示すこと
を特徴とする請求項７又は８に記載の信号同期方法。
【請求項１０】
前記個別品質信号は、前記１つの受信信号の信号系列毎の受信品質として、前記１つの受信信号の信号系列毎の振幅又は電力成分の値を示すこと
を特徴とする請求項７又は８に記載の信号同期方法。
【請求項１１】
選択する信号系列を示す選択信号を、各々が異なるように複数生成する選択信号生成部と、
１つの受信ディジタル信号から、前記選択信号生成部で生成された複数の選択信号の各々で示される信号系列に対応する受信ディジタル素信号を、前記複数の選択信号の各々において選択する第１選択部と、
前記第１選択部で、前記複数の選択信号の各々において選択された受信ディジタル素信号を復調することで、前記複数の選択信号の各々に対応する複数の第１信号を生成する第１信号生成部と、
信号の同期位置を検出するために予め定められた既知信号を生成する既知信号生成部と、
前記既知信号から、前記複数の選択信号の各々で示される信号系列に対応する既知素信号を、前記複数の選択信号の各々において選択する第２選択部と、
前記第２選択部で、前記複数の選択信号の各々において選択された既知素信号を復調することで、前記複数の選択信号の各々に対応する複数の第２信号を生成する第２信号生成部と、
前記複数の選択信号の各々に対応して生成された第１信号と第２信号とをそれぞれ比較し、当該比較結果の全てを用いて同期位置を検出する同期処理部と、を備え、
前記既知信号生成部は、前記第２信号生成部で復調することができる変調方式で、予め準備された信号を変調することにより、前記既知信号を生成すること
を特徴とする信号同期装置。
【請求項１２】
前記同期処理部は、
前記第１信号と前記第２信号とが一致するか否かを判断する同期監視部と、
前記１つの受信ディジタル信号から選択された受信ディジタル素信号を復調することで生成された複数の第１信号の内、前記第２信号と一致すると前記同期監視部で判断された数が、予め定められた周期内において最大となっている１つの受信ディジタル信号に基づいて前記同期位置を検出する同期検出部と、を備えること
を特徴とする請求項１１に記載の信号同期装置。
【請求項１３】
前記同期監視部は、
前記第１信号と前記第２信号との不一致度を算出する比較部と、
前記不一致度が予め定められた閾値以下である場合に、前記第１信号と前記第２信号とが一致すると判断する判定部と、を備えること
を特徴とする請求項１２に記載の信号同期装置。
【手続補正２】
【補正対象書類名】明細書
【補正対象項目名】００１３
【補正方法】変更
【補正の内容】
【００１３】
本発明の一態様に係る信号同期方法は、選択する信号系列を示す選択信号を、各々が異なるように複数生成する選択信号生成過程と、１つの受信ディジタル信号から、前記選択信号生成過程で生成された複数の選択信号の各々で示される信号系列に対応する受信ディジタル素信号を、前記複数の選択信号の各々において選択する第１選択過程と、前記第１選択過程で、前記複数の選択信号の各々において選択された受信ディジタル素信号を復調することで、前記複数の選択信号の各々に対応する複数の第１信号を生成する第１信号生成過程と、信号の同期位置を検出するために予め定められた既知信号を生成する既知信号生成過程と、前記既知信号から、前記複数の選択信号の各々で示される信号系列に対応する既知素信号を、前記複数の選択信号の各々において選択する第２選択過程と、前記第２選択過程で、前記複数の選択信号の各々において選択された既知素信号を復調することで、前記複数の選択信号の各々に対応する複数の第２信号を生成する第２信号生成過程と、前記複数の選択信号の各々に対応して生成された第１信号と第２信号とをそれぞれ比較し、当該比較結果の全てを用いて同期位置を検出する同期処理過程と、を備え、前記既知信号生成過程は、前記第２信号生成過程で復調することができる変調方式で、予め準備された信号を変調することにより、前記既知信号を生成することを特徴とする。